【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
軸方向の一方に突出する第１突出部、および前記第１突出部と連続して形成される前記軸方向の他方に突出する第２突出部を有する円環部と、
前記円環部の径方向において前記円環部の外周よりも外方に突出する複数の外方突出部と
を備え、
前記円環部は、前記外方突出部が形成された部分の径方向の内側の部分に内周側凹部を有し、
前記内周側凹部は、前記外方突出部に向けて凹む形状を有し、
前記内周側凹部の最大凹み量は、前記外方突出部の最大突出量と等しい
ウェーブワッシャー。
【請求項２】
前記外方突出部は、前記第１突出部の頂部分と前記第２突出部の頂部分との間の連結部分に形成される
請求項１に記載のウェーブワッシャー。
【請求項３】
前記外方突出部は、山形形状を有し、
前記内周側凹部は、山形形状を有する
請求項１または２に記載のウェーブワッシャー。
【請求項４】
回転軸と、
前記回転軸を回転可能に支持する回転軸受と、
前記回転軸受を保持する保持部を有する保持部材と、
前記回転軸の軸方向において前記回転軸受と前記保持部との間に配置され、前記回転軸が挿入される請求項１〜３のいずれか一項に記載のウェーブワッシャーと
を備える回転軸支持装置。
【請求項５】
前記回転軸支持装置は、前記複数の外方突出部の頂点の全部を通過する仮想正円の直径を前記ウェーブワッシャーの最大外径とし、前記円環部の外径を前記ウェーブワッシャーの最小外径としたとき、前記ウェーブワッシャーの最大外径と前記保持部の内径との差が、前記ウェーブワッシャーの最大外径と前記ウェーブワッシャーの最小外径との差よりも小さい
請求項４に記載の回転軸支持装置。
【請求項６】
回転軸を有する電動機であって、
請求項４または５に記載の回転軸支持装置を有し、
前記回転軸支持装置は、前記回転軸を支持する
電動機。
【請求項７】
前記電動機は、前記回転軸と接続される出力軸と、ローターを挟んで前記出力軸側であるフロント側において前記回転軸を支持する前記回転軸受としてのフロント側軸受と、前記ローターを挟んで前記フロント側とは反対側の前記回転軸を支持するリア側軸受と、付勢部材とを有し、
前記ウェーブワッシャーは、前記フロント側軸受に前記フロント側から前記リア側に向かう方向の予圧を付与し、
前記付勢部材は、前記回転軸の前記出力軸側の端部に配置され、前記リア側軸受に前記フロント側から前記リア側に向かう方向の予圧を付与する
請求項６に記載の電動機。
【手続補正２】
【補正対象書類名】明細書
【補正対象項目名】０００６
【補正方法】変更
【補正の内容】
【０００６】
（１）第１の手段は、請求項１に記載のウェーブワッシャーすなわち、軸方向の一方に突出する第１突出部、および前記第１突出部と連続して形成される前記軸方向の他方に突出する第２突出部を有する円環部と、前記円環部の径方向において前記円環部の外周よりも外方に突出する複数の外方突出部とを備え、前記円環部は、前記外方突出部が形成された部分の径方向の内側の部分に内周側凹部を有し、前記内周側凹部は、前記外方突出部に向けて凹む形状を有し、前記内周側凹部の最大凹み量は、前記外方突出部の最大突出量と等しいウェーブワッシャーを含む。
【手続補正３】
【補正対象書類名】明細書
【補正対象項目名】０００７
【補正方法】変更
【補正の内容】
【０００７】
上記ウェーブワッシャーは、複数の外方突出部を有する。このため、ウェーブワッシャーを保持部材の内部に配置する場合、外方突出部によりウェーブワッシャーの最大外径と保持部材の内径との差が小さくなる。このため、ウェーブワッシャーは、外方突出部を有しない以外は上記ウェーブワッシャーと同じ仮想のウェーブワッシャーと比較して、対称部材との位置ずれを低減できる。
上記ウェーブワッシャーの円環部は、内周側凹部を有する。このため、ウェーブワッシャーは、外方突出部を有する部分の幅と外方突出部を有しない部分の幅との差が小さくなる。このため、ウェーブワッシャーは、外方突出部がばね定数に与える影響をより小さくできる。
上記ウェーブワッシャーは、内周側凹部の最大凹み量と外方突出部の最大突出量とが等しい。このため、ウェーブワッシャーは、外方突出部が最も突出する部分の幅と外方突出部を有しない部分の幅とが等しくなる。このため、ウェーブワッシャーは、外方突出部がばね定数に与える影響をより小さくできる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
（３）第３の手段は、請求項３に記載のウェーブワッシャーすなわち、前記外方突出部は、山形形状を有し、前記内周側凹部は、山形形状を有する請求項１または２に記載のウェーブワッシャーを含む。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
（４）第４の手段は、請求項４に記載の回転軸支持装置すなわち、回転軸と、前記回転軸を回転可能に支持する回転軸受と、前記回転軸受を保持する保持部を有する保持部材と、前記回転軸の軸方向において前記回転軸受と前記保持部との間に配置され、前記回転軸が挿入される請求項１〜３のいずれか一項に記載のウェーブワッシャーとを備える回転軸支持装置を含む。
【手続補正１０】
【補正対象書類名】明細書
【補正対象項目名】００１７
【補正方法】変更
【補正の内容】
【００１７】
（５）第５の手段は、請求項５に記載の回転軸支持装置すなわち、前記回転軸支持装置は、前記複数の外方突出部の頂点の全部を通過する仮想正円の直径を前記ウェーブワッシャーの最大外径とし、前記円環部の外径を前記ウェーブワッシャーの最小外径としたとき、前記ウェーブワッシャーの最大外径と前記保持部の内径との差が、前記ウェーブワッシャーの最大外径と前記ウェーブワッシャーの最小外径との差よりも小さい請求項４に記載の回転軸支持装置を含む。
【手続補正１１】
【補正対象書類名】明細書
【補正対象項目名】００１９
【補正方法】変更
【補正の内容】
【００１９】
（６）第６の手段は、請求項６に記載の電動機すなわち、回転軸を有する電動機であって、請求項４または５に記載の回転軸支持装置を有し、前記回転軸支持装置は、前記回転軸を支持する電動機を含む。
【手続補正１２】
【補正対象書類名】明細書
【補正対象項目名】００２０
【補正方法】変更
【補正の内容】
【００２０】
（７）第７の手段は、請求項７に記載の電動機すなわち、前記電動機は、前記回転軸と接続される出力軸と、ローターを挟んで前記出力軸側であるフロント側において前記回転軸を支持する前記回転軸受としてのフロント側軸受と、前記ローターを挟んで前記フロント側とは反対側の前記回転軸を支持するリア側軸受と、付勢部材とを有し、前記ウェーブワッシャーは、前記フロント側軸受に前記フロント側から前記リア側に向かう方向の予圧を付与し、前記付勢部材は、前記回転軸の前記出力軸側の端部に配置され、前記リア側軸受に前記フロント側から前記リア側に向かう方向の予圧を付与する請求項６に記載の電動機を含む。